(57)【特許請求の範囲】
【請求項１】
それぞれに固有情報が記録されている複数の無線式記録媒体との無線通信により処理を行う無線式記録媒体処理装置において、
通信圏内に同時に提示された複数の無線式記録媒体の固有情報を読取る読取手段と、
この読取手段により読取った無線式記録媒体の固有情報を記録する記録手段と、
上記通信圏内の複数の無線式記録媒体うち上記記録手段により記録した固有情報の無線式記録媒体に対して順次処理を行う処理手段と、
この処理手段により上記記録手段が記録している固有情報の全ての無線式記録媒体に対する処理が完了したか否かを判断する判断手段と、
この判断手段により全ての無線式記録媒体に対する処理が完了しなかったと判断した後に、上記通信圏内に再度無線式記録媒体が提示された際に、上記読取手段により固有情報を読取り、上記処理手段による処理が完了していない無線式記録媒体に対してのみ処理を実行する実行手段と、
を具備したことを特徴とする無線式記録媒体処理装置。
【請求項２】
それぞれに固有情報を記録されている複数の無線式記録媒体との無線通信により処理を行う無線式記録媒体処理装置において、
通信圏内に同時に提示された複数の無線式記録媒体の固有情報を読取る読取手段と、
この読取手段により読取った無線式記録媒体の固有情報を記録する記録手段と、
上記通信圏内の複数の無線式記録媒体うち上記記録手段により記録した固有情報の無線式記録媒体に対して順次処理を行う処理手段と、
この処理手段により上記記録手段が記録している固有情報の全ての無線式記録媒体に対する処理が完了したか否かを判断する判断手段と、
この判断手段により全ての無線式記録媒体に対する処理が完了していないと判断した際に、処理の未完了を案内する案内手段と、
この案内手段による案内の後に、上記通信圏内に再度無線式記録媒体が提示された際に、上記読取手段により固有情報を読取り、上記処理手段による処理が完了していない無線式記録媒体に対してのみ処理を実行する実行手段と、
を具備したことを特徴とする無線式記録媒体処理装置。
【請求項３】
それぞれに固有情報に記録されている複数の無線式記録媒体との無線通信により処理を行う第１、第２の無線式記録媒体処理装置が互いに通信回線を介して接続されている無線式記録媒体処理システムにおいて、
上記第１の無線式記録媒体処理装置が、
第１の通信圏内に提示された複数の無線式記録媒体の固有情報を読取る第１の読取手段と、
この第１の読取手段により読取った複数の無線式記録媒体の固有情報を記録する第１の記録手段と、
上記第１の通信圏内の複数の無線式記録媒体うち上記第１の記録手段により記録した固有情報の無線式記録媒体に対して順次処理を行う第１の処理手段と、
この第１の処理手段により上記第１の記録手段が記録している固有情報の全ての無線式記録媒体に対する処理が完了したか否かを判断する判断手段と、
この判断手段により全ての無線式記録媒体への処理が完了していないと判断した際に、処理が完了していない無線式記録媒体の処理内容と固有情報とを上記第２の無線式記録媒体処理装置に送信する送信手段と、からなり、
上記第２の無線式記録媒体処理装置が、
上記送信手段により送信された処理内容と固有情報とを記録する第２の記録手段と、
第２の通信圏内に提示された複数の無線式記録媒体の固有情報を読取る第２の読取手段と、
この第２の読取手段により読取った無線式記録媒体の固有情報が、上記第２の記録手段により記録されている無線式記録媒体の固有情報と一致する場合に、固有情報が一致する無線式記録媒体に対してのみ上記第２の記録手段により記録している処理内容の処理を行う第２の処理手段と、からなる、
ことを特徴とする無線式記録媒体処理システム。
【請求項４】
それぞれに固有情報に記録されている複数の無線式記録媒体との無線通信により処理を行う第１、第２の無線式記録媒体処理装置が互いに通信回線を介して接続されている無線式記録媒体処理システムにおいて、
上記第１の無線式記録媒体処理装置が、
第１の通信圏内に提示された複数の無線式記録媒体の固有情報を読取る第１の読取手段と、
この第１の読取手段により読取った複数の無線式記録媒体の固有情報を記録する第１の記録手段と、
上記第１の通信圏内の複数の無線式記録媒体うち上記第１の記録手段により記録した固有情報の無線式記録媒体に対して順次処理を行う第１の処理手段と、
この第１の処理手段により上記記録手段が記録している固有情報の全ての無線式記録媒体に対する処理が完了したか否かを判断する判断手段と、
この判断手段により全ての無線式記録媒体への処理が完了していないと判断した際に、処理が完了していない無線式記録媒体の処理内容と固有情報とを上記第２の無線式記録媒体処理装置に送信する送信手段と、
上記判断手段により全ての無線式記録媒体への処理が完了していないと判断した際に、処理の未完了を案内する案内手段と、からなり、
上記第２の無線式記録媒体処理装置が、
上記送信手段により送信された処理内容と固有情報とを記録する第２の記録手段と、
第２の通信圏内に提示された複数の無線式記録媒体の固有情報を読取る第２の読取手段と、
この第２の読取手段により読取った無線式記録媒体の固有情報が、上記第２の記録手段により記録されている無線式記録媒体の固有情報と一致する場合に、固有情報が一致する無線式記録媒体に対してのみ上記第２の記録手段により記録している処理内容の処理を行う第２の処理手段と、からなる、
ことを特徴とする無線式記録媒体処理システム。
【請求項５】
それぞれに固有情報に記録されている複数の無線式記録媒体との無線通信により処理を行う第１、第２の無線式記録媒体処理装置が互いに通信回線を介して接続されている無線式記録媒体処理システムにおいて、
上記第１の無線式記録媒体処理装置が、
第１の通信圏内に提示された複数の無線式記録媒体の固有情報を読取る第１の読取手段と、
この第１の読取手段により読取った複数の無線式記録媒体の固有情報を記録する第１の記録手段と、
上記第１の通信圏内の複数の無線式記録媒体うち上記第１の記録手段により記録した固有情報の無線式記録媒体に対して順次処理を行う第１の処理手段と、
この第１の処理手段により上記記録手段が記録している固有情報の全ての無線式記録媒体に対する処理が完了したか否かを判断する判断手段と、
この判断手段により全ての無線式記録媒体への処理が完了していないと判断した際に、処理が完了していない無線式記録媒体の処理内容と固有情報とを上記第２の無線式記録媒体処理装置に送信する送信手段と、
上記判断手段により全ての無線式記録媒体への処理が完了していないと判断した後に、上記第１の通信圏内に再度無線式記録媒体が提示された際に、上記第１の読取手段により再度提示された無線式記録媒体の固有情報を読取り、処理が完了していない無線式記録媒体に対してのみ上記第１の処理手段による処理を実行する第１の実行手段と、からなり、
上記第２の無線式記録媒体処理装置が、
第２の通信圏内に提示された複数の無線式記録媒体の固有情報を読取る第２の読取手段と、
この第２の読取手段により読取った複数の無線式記録媒体の固有情報を記録する第２の記録手段と、
上記第２の通信圏内の複数の無線式記録媒体うち上記第２の記録手段により記録した固有情報の無線式記録媒体に対して順次処理を行う第２の処理手段と、
上記送信手段により送信された固有情報を上記第２の記録手段に記録する第３の処理手段と、
上記第２の読取手段により読取った無線式記録媒体の固有情報が、上記第３の処理手段により上記第２の記録手段に記録されている無線式記録媒体の固有情報と一致する場合に、固有情報が一致する無線式記録媒体に対してのみ上記第２の記録手段に記録している処理内容の処理を上記第２の処理手段により実行する第２の実行手段と、からなる、
ことを特徴とする無線式記録媒体処理システム。
【請求項６】
それぞれが固有情報と改札情報とを有する複数の無線式記録媒体との無線通信により入出場処理を実行する自動改札装置において、
通信圏内に同時に提示された複数の無線式記録媒体の固有情報と改札情報を読取る読取手段と、
この読取手段により読取った無線式記録媒体の固有情報を記録する記録手段と、
上記読取手段により読取った改札情報に基いて入出場を判定する判定手段と、
この判定手段による判定結果を上記通信圏内の複数の無線式記録媒体うち上記記録手段により記録した固有情報の無線式記録媒体に対して順次書込む処理を行う処理手段と、
この処理手段により上記記録手段が記録している固有情報の全ての無線式記録媒体に対する判定結果の書込処理が完了したか否かを判断する判断手段と、
この判断手段により全ての無線式記録媒体に対する書込処理が完了していないと判断した後に、上記通信圏内に再度無線式記録媒体が提示された際、上記読取手段により固有情報を読取り、書込処理が完了していない無線式記録媒体に対してのみ上記処理手段により上記判定結果の書込処理を実行する実行手段と、
を具備したことを特徴とする自動改札装置。
【請求項７】
それぞれが固有情報と改札情報とを有する複数の無線式記録媒体との無線通信により入出場処理を実行する自動改札装置において、
通信圏内に同時に提示された複数の無線式記録媒体の固有情報と改札情報を読取る読取手段と、
この読取手段により読取った無線式記録媒体の固有情報を記録する記録手段と、
上記読取手段により読取った改札情報に基いて入出場を判定する判定手段と、
この判定手段による判定結果を、上記通信圏内の複数の無線式記録媒体うち上記記録手段により記録した固有情報の無線式記録媒体に対して、順次書込む処理を行う処理手段と、
この処理手段により上記記録手段が記録している固有情報の全ての無線式記録媒体に対する上記判定結果の書込処理が完了したか否かを判断する判断手段と、
この判断手段により全ての無線式記録媒体に対する書込処理が完了していないと判断した際に、処理の未完了を案内する案内手段と、
この案内手段による案内の後に、上記通信圏内に再度無線式記録媒体が提示された際に、上記読取手段により固有情報を読取り、書込処理が完了していない無線式記録媒体に対してのみ上記処理手段により上記判定結果の書込処理を実行する実行手段と、
を具備したことを特徴とする自動改札装置。
【請求項８】
それぞれが固有情報と改札情報とを有する複数の無線式記録媒体に対して無線通信により入出場処理を実行する第１、第２の自動改札装置が互いに通信回線を介して接続されている自動改札システムにおいて、
上記第１の自動改札装置が、
第１の通信圏内に提示された複数の無線式記録媒体の固有情報と改札情報を読取る第１の読取手段と、
この第１の読取手段により読取った無線式記録媒体の固有情報を記録する第１の記録手段と、
上記第１の読取手段により読取った改札情報に基いて入出場を判定する判定手段と、
この判定手段による判定結果を、上記第１の通信圏内の複数の無線式記録媒体うち上記第１の記録手段により記録した固有情報の無線式記録媒体に対して、順次書込む処理を行う第１の処理手段と、
この第１の処理手段により上記第１の記録手段が記録している固有情報の全ての無線式記録媒体に対する判定結果の書込処理が完了したか否かを判断する判断手段と、
この判断手段により全ての無線式記録媒体に対する書込処理が完了していないと判断した際に、書込処理が完了していない無線式記録媒体の判定結果と固有情報とを上記第２の無線式記録媒体処理装置に送信する送信手段と、からなり、
上記第２の自動改札装置が、
上記送信手段により送信された判定結果と固有情報とを記録する上記第２の記録手段と、
第２の通信圏内に提示された複数の無線式記録媒体の固有情報を読取る第２の読取手段と、
この第２の読取手段により読取った無線式記録媒体の固有情報が、上記第２の記録手段により記録されている無線式記録媒体の固有情報と一致する場合に、固有情報が一致する無線式記録媒体に対してのみ上記判定結果の書込処理を行う第２の処理手段と、からなる、
ことを特徴とする自動改札システム。
【請求項９】
それぞれが固有情報と改札情報とを有する複数の無線式記録媒体に対して無線通信により入出場処理を実行する第１、第２の自動改札装置が互いに通信回線を介して接続されている自動改札システムにおいて、
上記第１の自動改札装置が、
第１の通信圏内に提示された複数の無線式記録媒体の固有情報と改札情報を読取る第１の読取手段と、
この第１の読取手段により読取った無線式記録媒体の固有情報を記録する第１の記録手段と、
上記第１の読取手段により読取った改札情報に基いて入出場を判定する判定手段と、
この判定手段による判定結果を、上記第１の通信圏内の複数の無線式記録媒体うち上記第１の記録手段により記録した固有情報の無線式記録媒体に対して、順次書込む処理を行う第１の処理手段と、
この第１の処理手段により上記第１の記録手段が記録している固有情報の全ての無線式記録媒体に対する判定結果の書込処理が完了したか否かを判断する判断手段と、
この判断手段により全ての無線式記録媒体に対する書込処理が完了していないと判断した際に、書込処理が完了していない無線式記録媒体の判定結果と固有情報とを上記第２の無線式記録媒体処理装置に送信する送信手段と、
上記判断手段により全ての無線式記録媒体に対する書込処理が完了していないと判断した際に、処理の未完了を案内する案内手段と、からなり、
上記第２の自動改札装置が、
上記送信手段により送信された判定結果と固有情報とを記録する第２の記録手段と、
第２の通信圏内に提示された複数の無線式記録媒体の固有情報を読取る第２の読取手段と、
この第２の読取手段により読取った無線式記録媒体の固有情報が、上記第２の記録手段により記録されている無線式記録媒体の固有情報と一致する場合に、固有情報が一致する無線式記録媒体に対してのみ上記判定結果の書込処理を行う第２の処理手段と、からなる、
ことを特徴とする自動改札システム。
【請求項１０】
それぞれが固有情報と改札情報とを有する複数の無線式記録媒体に対して無線通信により入出場処理を実行する第１、第２の自動改札装置が互いに通信回線を介して接続されている自動改札システムにおいて、
上記第１の自動改札装置が、
第１の通信圏内に提示された複数の無線式記録媒体の固有情報と改札情報を読取る第１の読取手段と、
この第１の読取手段により読取った無線式記録媒体の固有情報を記録する第１の記録手段と、
上記第１の読取手段により読取った改札情報に基いて入出場を判定する判定手段と、
この判定手段による判定結果を、上記第１の通信圏内の複数の無線式記録媒体うち上記第１の記録手段により記録した固有情報の無線式記録媒体に対して、順次書込む処理を行う第１の処理手段と、
この第１の処理手段により上記第１の記録手段が記録している固有情報の全ての無線式記録媒体に対する判定結果の書込処理が完了したか否かを判断する判断手段と、
この判断手段により全ての無線式記録媒体に対する書込処理が完了していないと判断した際に、書込処理が完了していない無線式記録媒体に対する判定結果と上記第１の記録手段に記録している固有情報とを上記第２の無線式記録媒体処理装置に送信する送信手段と、
上記判断手段により全ての無線式記録媒体に対する書込処理が完了していないと判断した後に、上記第１の通信圏内に再度無線式記録媒体が提示された際、上記第１の読取手段により固有情報を読取り、書込処理が完了していない無線式記録媒体に対してのみ上記第１の処理手段により上記判定結果の書込処理を実行する第１の実行手段と、からなり、
上記第２の自動改札装置が、
第２の通信圏内に提示された複数の無線式記録媒体の固有情報と改札情報を読取る第２の読取手段と、
この第２の読取手段により読取った無線式記録媒体の固有情報を記録する第２の記録手段と、
上記第２の読取手段により読取った改札情報に基いて入出場を判定する第２の判定手段と、
この第２の判定手段による判定結果を、上記第２の通信圏内の複数の無線式記録媒体うち上記第２の記録手段により記録した固有情報の無線式記録媒体に対して、順次書込む処理を行う第２の処理手段と、
上記送信手段により送信された判定結果と固有情報とを上記第２の記録手段により記録する第３の処理手段と、
上記第２の読取手段により読取った無線式記録媒体の固有情報が、上記第３の処理手段により上記第２の記録手段に記録されている無線式記録媒体の固有情報と一致する場合に、固有情報が一致する無線式記録媒体に対してのみ上記第２の処理手段により上記判定結果の書込処理を実行する第２の実行手段と、からなる
ことを特徴とする自動改札システム。
【発明の詳細な説明】
【０００１】
【発明の属する技術分野】
この発明は、例えば、鉄道やバスなど交通機関で用いられる乗車券としての無線式記録媒体を処理する無線式記録媒体処理装置、無線式記録媒体処理システム、自動改札装置、および自動改札システムに関する。
【０００２】
【従来の技術】
従来、複数の無線式記録媒体の同時使用に対応した自動改札装置では、書込未完了および再受付による誤引去を防止する為以下の技法が用いられている。
【０００３】
一度、書込を完了した無線式記録媒体（無線カード）のＩＤ番号（固有情報）を自動改札装置の内部で一定時間保有し、その時間内に同一の無線カードが再度、翳されても反応（処理）しない事により、誤引去を防止する。
【０００４】
しかしながら、複数対応の従来の技法の様に単純に無線カードのＩＤ番号を自動改札装置内部に一定時間保有し、反応（処理）しないだけでは、複数枚対応時には、以下の問題点がある。
【０００５】
（１）複数の無線カードが翳された内、１枚だけ書込めた場合、従来の自動改札装置では、無線式記録媒体が無反応となり、書込を行う事が出来ない。
【０００６】
例えば、Ａ駅〜Ｃ駅の区間が有効な定期券としての無線式記録媒体ａ、Ｃ駅〜Ｄ駅の区間が有効な定期部と、ＳＦカードとして利用可能なＳＦ部との両方の機能を有する複合券としての無線式記録媒体ｂを利用して、Ａ〜Ｃ間に存在するＢ駅で乗車し、Ｅ駅で降車する場合について説明する。
【０００７】
すなわち、第１の無線式記録媒体（定期券）の有効区間内で入場し、第２の無線式記録媒体（複合券）の定期部の有効区間外で出場する場合に、第２の無線式記録媒体のＳＦ部の金額を利用して出場する事になる。この場合、無線式記録媒体ｂ（複合券）のみ書込が出来て、無線式記録媒体ａ（定期券）に書込が出来なかった際、本来は更に、書込が出来なかった無線式記録媒体ａに対する書込を行いたいが、従来の自動改札装置では、無線式記録媒体ａが無反応となり、書込を行う事が出来ない。
【０００８】
（２）複数台の無線カード対応の自動改札装置が並べて改札口に設置される場合、再度提示された無線カードから誤引去を行う可能性が発生する。
【０００９】
現状では、自動改札装置における無線式記録媒体への対応は、試行段階であり、１つの改札口（１コーナー）の両端に１台づつ設置される程度である。
【００１０】
このため、自動改札装置１台１台でクローズして無線式記録媒体のＮＯを保有して、上記の従来技術の様な事をすれば事足りたが、無線式記録媒体対応の自動改札装置の設置が本格化すると、改札口に複数台の自動改札装置が並べて設置されることがある。この場合、１台の自動改札装置で処理が失敗した場合、利用者が隣の自動改札装置に移行する事が容易であるため、従来技術の手法では、無線カードからの誤引去を行う可能性が発生する。
【００１１】
例えば、上記（１）の例のように、利用者が書込た無線式記録媒体ａ（定期券）と書込めなかった無線式記録媒体ｂ（複合券）を隣の自動改札装置に持っていくと、入場済の定期券と未入場の複合券（＝定期券からはみ出る部分の運賃をＳＦから引去）と言う極普通の状態であり、自動改札装置は、無線式記録媒体ｂのＳＦ部から再度、引去を行なってしまう。
【００１２】
【発明が解決しようとする課題】
上記したように、複数枚の無線式記録媒体の組み合せ判定を行い、その判定結果の書込処理が未完了の無線式記録媒体があった場合に、書込処理が未完了の無線式記録媒体に対する書込み処理が実行できなかったり、再度、書込み処理を実行する際に、２重処理を行ってしまったりするという問題点を解決するもので、書込処理が未完了の無線式記録媒体があった場合に、書込処理が未完了の無線式記録媒体に対する書込み処理が実行でき、再度、書込み処理を実行する際に、２重処理を行ってしまうことがない無線式記録媒体処理装置および自動改札装置を提供することを目的とする。
【００１３】
また、判定結果の書込処理が未完了の無線式記録媒体があった場合に、他の自動改札装置での未完了の無線式記録媒体に対する書込み処理が実行できなかったり、再度、書込み処理を実行する際に、２重処理を行ってしまったりするという問題点を解決するもので、書込処理が未完了の無線式記録媒体があった場合に、他の自動改札装置でも、書込処理が未完了の無線式記録媒体に対する書込み処理が実行でき、再度、書込み処理を実行する際に、２重処理を行ってしまうことがない無線式記録媒体処理システムおよび自動改札システムを提供することを目的とする。
【００１４】
【課題を解決するための手段】
この発明の無線式記録媒体処理装置は、それぞれに固有情報が記録されている複数の無線式記録媒体との無線通信により処理を行うものにおいて、通信圏内に同時に提示された複数の無線式記録媒体の固有情報を読取る読取手段、この読取手段により読取った無線式記録媒体の固有情報を記録する記録手段、上記通信圏内の複数の無線式記録媒体うち上記記録手段により記録した固有情報の無線式記録媒体に対して順次処理を行う処理手段、この処理手段により上記記録手段が記録している固有情報の全ての無線式記録媒体に対する処理が完了したか否かを判断する判断手段、およびこの判断手段により全ての無線式記録媒体に対する処理が完了しなかったと判断した後に、上記通信圏内に再度無線式記録媒体が提示された際に、上記読取手段により固有情報を読取り、上記処理手段による処理が完了していない無線式記録媒体に対してのみ処理を実行する実行手段から構成されている。
【００１５】
この発明の無線式記録媒体処理装置は、それぞれに固有情報を記録されている複数の無線式記録媒体との無線通信により処理を行うものにおいて、通信圏内に同時に提示された複数の無線式記録媒体の固有情報を読取る読取手段、この読取手段により読取った無線式記録媒体の固有情報を記録する記録手段、上記通信圏内の複数の無線式記録媒体うち上記記録手段により記録した固有情報の無線式記録媒体に対して順次処理を行う処理手段、この処理手段により上記記録手段が記録している固有情報の全ての無線式記録媒体に対する処理が完了したか否かを判断する判断手段、この判断手段により全ての無線式記録媒体に対する処理が完了していないと判断した際に、処理の未完了を案内する案内手段、およびこの案内手段による案内の後に、上記通信圏内に再度無線式記録媒体が提示された際に、上記読取手段により固有情報を読取り、上記処理手段による処理が完了していない無線式記録媒体に対してのみ処理を実行する実行手段から構成されている。
【００１６】
この発明の無線式記録媒体処理システムは、それぞれに固有情報に記録されている複数の無線式記録媒体との無線通信により処理を行う第１、第２の無線式記録媒体処理装置が互いに通信回線を介して接続されているものにおいて、上記第１の無線式記録媒体処理装置が、第１の通信圏内に提示された複数の無線式記録媒体の固有情報を読取る第１の読取手段、この第１の読取手段により読取った複数の無線式記録媒体の固有情報を記録する第１の記録手段、上記第１の通信圏内の複数の無線式記録媒体うち上記第１の記録手段により記録した固有情報の無線式記録媒体に対して順次処理を行う第１の処理手段、この第１の処理手段により上記第１の記録手段が記録している固有情報の全ての無線式記録媒体に対する処理が完了したか否かを判断する判断手段、およびこの判断手段により全ての無線式記録媒体への処理が完了していないと判断した際に、処理が完了していない無線式記録媒体の処理内容と固有情報とを上記第２の無線式記録媒体処理装置に送信する送信手段からなり、上記第２の無線式記録媒体処理装置が、上記送信手段により送信された処理内容と固有情報とを記録する第２の記録手段、第２の通信圏内に提示された複数の無線式記録媒体の固有情報を読取る第２の読取手段、およびこの第２の読取手段により読取った無線式記録媒体の固有情報が、上記第２の記録手段により記録されている無線式記録媒体の固有情報と一致する場合に、固有情報が一致する無線式記録媒体に対してのみ上記第２の記録手段により記録している処理内容の処理を行う第２の処理手段からなることを特徴とする。
【００１７】
この発明の無線式記録媒体処理システムは、それぞれに固有情報に記録されている複数の無線式記録媒体との無線通信により処理を行う第１、第２の無線式記録媒体処理装置が互いに通信回線を介して接続されているものにおいて、上記第１の無線式記録媒体処理装置が、第１の通信圏内に提示された複数の無線式記録媒体の固有情報を読取る第１の読取手段、この第１の読取手段により読取った複数の無線式記録媒体の固有情報を記録する第１の記録手段、上記第１の通信圏内の複数の無線式記録媒体うち上記第１の記録手段により記録した固有情報の無線式記録媒体に対して順次処理を行う第１の処理手段、この第１の処理手段により上記記録手段が記録している固有情報の全ての無線式記録媒体に対する処理が完了したか否かを判断する判断手段、この判断手段により全ての無線式記録媒体への処理が完了していないと判断した際に、処理が完了していない無線式記録媒体の処理内容と固有情報とを上記第２の無線式記録媒体処理装置に送信する送信手段、および上記判断手段により全ての無線式記録媒体への処理が完了していないと判断した際に、処理の未完了を案内する案内手段からなり、上記第２の無線式記録媒体処理装置が、上記送信手段により送信された処理内容と固有情報とを記録する第２の記録手段、第２の通信圏内に提示された複数の無線式記録媒体の固有情報を読取る第２の読取手段、およびこの第２の読取手段により読取った無線式記録媒体の固有情報が、上記第２の記録手段により記録されている無線式記録媒体の固有情報と一致する場合に、固有情報が一致する無線式記録媒体に対してのみ上記第２の記録手段により記録している処理内容の処理を行う第２の処理手段からなることを特徴とする。
【００１８】
この発明の無線式記録媒体処理システムは、それぞれに固有情報に記録されている複数の無線式記録媒体との無線通信により処理を行う第１、第２の無線式記録媒体処理装置が互いに通信回線を介して接続されているものにおいて、上記第１の無線式記録媒体処理装置が、第１の通信圏内に提示された複数の無線式記録媒体の固有情報を読取る第１の読取手段、この第１の読取手段により読取った複数の無線式記録媒体の固有情報を記録する第１の記録手段、上記第１の通信圏内の複数の無線式記録媒体うち上記第１の記録手段により記録した固有情報の無線式記録媒体に対して順次処理を行う第１の処理手段、この第１の処理手段により上記記録手段が記録している固有情報の全ての無線式記録媒体に対する処理が完了したか否かを判断する判断手段、この判断手段により全ての無線式記録媒体への処理が完了していないと判断した際に、処理が完了していない無線式記録媒体の処理内容と固有情報とを上記第２の無線式記録媒体処理装置に送信する送信手段、および上記判断手段により全ての無線式記録媒体への処理が完了していないと判断した後に、上記第１の通信圏内に再度無線式記録媒体が提示された際に、上記第１の読取手段により再度提示された無線式記録媒体の固有情報を読取り、処理が完了していない無線式記録媒体に対してのみ上記第１の処理手段による処理を実行する第１の実行手段からなり、上記第２の無線式記録媒体処理装置が、第２の通信圏内に提示された複数の無線式記録媒体の固有情報を読取る第２の読取手段、この第２の読取手段により読取った複数の無線式記録媒体の固有情報を記録する第２の記録手段、上記第２の通信圏内の複数の無線式記録媒体うち上記第２の記録手段により記録した固有情報の無線式記録媒体に対して順次処理を行う第２の処理手段、上記送信手段により送信された固有情報を上記第２の記録手段に記録する第３の処理手段、および上記第２の読取手段により読取った無線式記録媒体の固有情報が、上記第３の処理手段により上記第２の記録手段に記録されている無線式記録媒体の固有情報と一致する場合に、固有情報が一致する無線式記録媒体に対してのみ上記第２の記録手段に記録している処理内容の処理を上記第２の処理手段により実行する第２の実行手段からなることを特徴とする。
【００１９】
この発明の自動改札装置は、それぞれが固有情報と改札情報とを有する複数の無線式記録媒体との無線通信により入出場処理を実行するものにおいて、通信圏内に同時に提示された複数の無線式記録媒体の固有情報と改札情報を読取る読取手段、この読取手段により読取った無線式記録媒体の固有情報を記録する記録手段、上記読取手段により読取った改札情報に基いて入出場を判定する判定手段、この判定手段による判定結果を上記通信圏内の複数の無線式記録媒体うち上記記録手段により記録した固有情報の無線式記録媒体に対して順次書込む処理を行う処理手段、この処理手段により上記記録手段が記録している固有情報の全ての無線式記録媒体に対する判定結果の書込処理が完了したか否かを判断する判断手段、およびこの判断手段により全ての無線式記録媒体に対する書込処理が完了していないと判断した後に、上記通信圏内に再度無線式記録媒体が提示された際、上記読取手段により固有情報を読取り、書込処理が完了していない無線式記録媒体に対してのみ上記処理手段により上記判定結果の書込処理を実行する実行手段から構成されている。
【００２０】
この発明の自動改札装置は、それぞれが固有情報と改札情報とを有する複数の無線式記録媒体との無線通信により入出場処理を実行するものにおいて、通信圏内に同時に提示された複数の無線式記録媒体の固有情報と改札情報を読取る読取手段、この読取手段により読取った無線式記録媒体の固有情報を記録する記録手段、上記読取手段により読取った改札情報に基いて入出場を判定する判定手段、この判定手段による判定結果を、上記通信圏内の複数の無線式記録媒体うち上記記録手段により記録した固有情報の無線式記録媒体に対して、順次書込む処理を行う処理手段、この処理手段により上記記録手段が記録している固有情報の全ての無線式記録媒体に対する上記判定結果の書込処理が完了したか否かを判断する判断手段、この判断手段により全ての無線式記録媒体に対する書込処理が完了していないと判断した際に、処理の未完了を案内する案内手段、およびこの案内手段による案内の後に、上記通信圏内に再度無線式記録媒体が提示された際に、上記読取手段により固有情報を読取り、書込処理が完了していない無線式記録媒体に対してのみ上記処理手段により上記判定結果の書込処理を実行する実行手段から構成されている。
【００２１】
この発明の自動改札システムは、それぞれが固有情報と改札情報とを有する複数の無線式記録媒体に対して無線通信により入出場処理を実行する第１、第２の自動改札装置が互いに通信回線を介して接続されているものにおいて、上記第１の自動改札装置が、第１の通信圏内に提示された複数の無線式記録媒体の固有情報と改札情報を読取る第１の読取手段、この第１の読取手段により読取った無線式記録媒体の固有情報を記録する第１の記録手段、上記第１の読取手段により読取った改札情報に基いて入出場を判定する判定手段、この判定手段による判定結果を、上記第１の通信圏内の複数の無線式記録媒体うち上記第１の記録手段により記録した固有情報の無線式記録媒体に対して、順次書込む処理を行う第１の処理手段、この第１の処理手段により上記第１の記録手段が記録している固有情報の全ての無線式記録媒体に対する判定結果の書込処理が完了したか否かを判断する判断手段、およびこの判断手段により全ての無線式記録媒体に対する書込処理が完了していないと判断した際に、書込処理が完了していない無線式記録媒体の判定結果と固有情報とを上記第２の無線式記録媒体処理装置に送信する送信手段からなり、上記第２の自動改札装置が、上記送信手段により送信された判定結果と固有情報とを記録する上記第２の記録手段、第２の通信圏内に提示された複数の無線式記録媒体の固有情報を読取る第２の読取手段、およびこの第２の読取手段により読取った無線式記録媒体の固有情報が、上記第２の記録手段により記録されている無線式記録媒体の固有情報と一致する場合に、固有情報が一致する無線式記録媒体に対してのみ上記判定結果の書込処理を行う第２の処理手段からなることを特徴とする。
【００２２】
この発明の自動改札システムは、それぞれが固有情報と改札情報とを有する複数の無線式記録媒体に対して無線通信により入出場処理を実行する第１、第２の自動改札装置が互いに通信回線を介して接続されているものにおいて、上記第１の自動改札装置が、第１の通信圏内に提示された複数の無線式記録媒体の固有情報と改札情報を読取る第１の読取手段、この第１の読取手段により読取った無線式記録媒体の固有情報を記録する第１の記録手段、上記第１の読取手段により読取った改札情報に基いて入出場を判定する判定手段、この判定手段による判定結果を、上記第１の通信圏内の複数の無線式記録媒体うち上記第１の記録手段により記録した固有情報の無線式記録媒体に対して、順次書込む処理を行う第１の処理手段、この第１の処理手段により上記第１の記録手段が記録している固有情報の全ての無線式記録媒体に対する判定結果の書込処理が完了したか否かを判断する判断手段、この判断手段により全ての無線式記録媒体に対する書込処理が完了していないと判断した際に、書込処理が完了していない無線式記録媒体の判定結果と固有情報とを上記第２の無線式記録媒体処理装置に送信する送信手段、および上記判断手段により全ての無線式記録媒体に対する書込処理が完了していないと判断した際に、処理の未完了を案内する案内手段からなり、上記第２の自動改札装置が、上記送信手段により送信された判定結果と固有情報とを記録する第２の記録手段、第２の通信圏内に提示された複数の無線式記録媒体の固有情報を読取る第２の読取手段、およびこの第２の読取手段により読取った無線式記録媒体の固有情報が、上記第２の記録手段により記録されている無線式記録媒体の固有情報と一致する場合に、固有情報が一致する無線式記録媒体に対してのみ上記判定結果の書込処理を行う第２の処理手段からなる、ことを特徴とする。
【００２３】
この発明の自動改札システムは、それぞれが固有情報と改札情報とを有する複数の無線式記録媒体に対して無線通信により入出場処理を実行する第１、第２の自動改札装置が互いに通信回線を介して接続されているものにおいて、上記第１の自動改札装置が、第１の通信圏内に提示された複数の無線式記録媒体の固有情報と改札情報を読取る第１の読取手段、この第１の読取手段により読取った無線式記録媒体の固有情報を記録する第１の記録手段、上記第１の読取手段により読取った改札情報に基いて入出場を判定する判定手段、この判定手段による判定結果を、上記第１の通信圏内の複数の無線式記録媒体うち上記第１の記録手段により記録した固有情報の無線式記録媒体に対して、順次書込む処理を行う第１の処理手段、この第１の処理手段により上記第１の記録手段が記録している固有情報の全ての無線式記録媒体に対する判定結果の書込処理が完了したか否かを判断する判断手段、この判断手段により全ての無線式記録媒体に対する書込処理が完了していないと判断した際に、書込処理が完了していない無線式記録媒体に対する判定結果と上記第１の記録手段に記録している固有情報とを上記第２の無線式記録媒体処理装置に送信する送信手段、および上記判断手段により全ての無線式記録媒体に対する書込処理が完了していないと判断した後に、上記第１の通信圏内に再度無線式記録媒体が提示された際、上記第１の読取手段により固有情報を読取り、書込処理が完了していない無線式記録媒体に対してのみ上記第１の処理手段により上記判定結果の書込処理を実行する第１の実行手段からなり、上記第２の自動改札装置が、第２の通信圏内に提示された複数の無線式記録媒体の固有情報と改札情報を読取る第２の読取手段、この第２の読取手段により読取った無線式記録媒体の固有情報を記録する第２の記録手段、上記第２の読取手段により読取った改札情報に基いて入出場を判定する第２の判定手段、この第２の判定手段による判定結果を、上記第２の通信圏内の複数の無線式記録媒体うち上記第２の記録手段により記録した固有情報の無線式記録媒体に対して、順次書込む処理を行う第２の処理手段、上記送信手段により送信された判定結果と固有情報とを上記第２の記録手段により記録する第３の処理手段、および上記第２の読取手段により読取った無線式記録媒体の固有情報が、上記第３の処理手段により上記第２の記録手段に記録されている無線式記録媒体の固有情報と一致する場合に、固有情報が一致する無線式記録媒体に対してのみ上記第２の処理手段により上記判定結果の書込処理を実行する第２の実行手段からなることを特徴とする。
【００２４】
【発明の実施の形態】
以下、この発明の実施の形態について図面を参照して説明する。
【００２５】
図１は、この実施の形態に係わる無線式記録媒体処理装置としての自動改札装置１の概観を概略的に示す図である。
【００２６】
自動改札装置１は、通常２台１組として駅の改札口などに複数組が並べて設置され、両者の間に利用者が通行する入場用あるいは出場用の通路が形成される。また、無線式記録媒体処理システムとしての自動改札システムは、上記のような自動改札装置１が互いに通信回線を介して接続されるものである。この自動改札システムは、各自動改札装置１が監視盤、あるいは集計機等を介して接続されても良いし、直接、各自動改札装置１が接続されるようにしても良い。
【００２７】
自動改札装置本体１上にはトップカバ−２が設けられている。この本体１の一端部には、磁気により情報が記録される磁気式の乗車券（磁気券）の投入口３が設けられ、複数枚の磁気券の一括または１枚ずつの投入を受け付けることができる。また、他端部には、入場時、または出場時に投入された磁気券を排出する排出口（返却口）４が設けられている。
【００２８】
投入口３の近傍には、乗車券の投入を阻止するためのシャッタ（図示しない）が設けられ、このシャッタの働きにより無線式記録媒体としての無線カード（無線機器）の誤投入を防止できるようになっている。
【００２９】
また、トッブカバー２上には、利用者が所持する無線カードと無線通信を行うための無線アンテナ５が設けられている。
【００３０】
上記排出口４の近傍のトップカバー２上には、利用者に対して、通行案内、通行不可時の案内などを行う案内表示部６が設けられている。自動改札装置１の通路側の側面には、通行が不許可の際に利用者の通行を阻止するドア部７が設けられている。また、本体およびポール部には、異常発生時に点灯したり、小児券が投入された際に点灯する異常／小児表示器８、および通路内の人間を検知する人間検知器９、１０が設けられている。
【００３１】
図２は、自動改札装置１の制御系を概略的に示すブロック図である。
【００３２】
自動改札装置１は、機器全体を統括制御するＣＰＵ２０を有している。このＣＰＵ２０には、ＲＯＭ２２、ＲＡＭ２４、運賃メモリ２６、無線通信制御部２８、装置センサ３０、検知回路３２、搬送制御回路３４、メインモータ３６、分離機構３８、磁気券処理部４０、通過検知回路４２、ドア制御回路４４、ドア開閉機構４６、表示制御回路４８、表示器制御回路５０、パンチ処理制御回路５２、パンチ処理部５４、シャッタ制御回路５６、シャッタ５８、一括プール制御回路６０、一括プール部６２、振分け制御回路６４、振分けゲート６６、サーマルヘッド制御回路６８、サーマルヘッド７０、監視盤インターフェース７２、監視盤７４、通信部７６などが接続されている。
【００３３】
上記ＲＯＭ２２は、ＣＰＵ１００の制御プログラムを記憶している。ＲＡＭ１０４は、上記ＲＯＭ２２と乗車券から読取った情報の記憶、予め選択可能に作成された複数の表示パターンの記憶、及び制御プログラムのバッファとしての情報を記憶する。上記運賃メモリ２６は、乗車券の使用が開始された入場駅からこの自動改札装置１０の設置駅までの運賃情報を記憶している。
【００３４】
上記装置センサ３０は、装置内に投入口から排出口まで設けられている図示しない搬送路上の各部に設置されている。上記検知回路３２は、装置センサ３０で感知した磁気券の投入を検知する。上記搬送制御回路３４は、上記検知回路３２の検知に基いてメインモータ３６を駆動し、投入口３から投入された磁気券を装置内の図示しない搬送路上を搬送させる制御を行う。上記分離機構３８は、搬送される磁気券が複数枚の場合、装置センサ３０および検知回路での検知結果に基いて１枚ずつに分離して搬送する。
【００３５】
上記磁気券処理部４０は、読取ヘッドを制御する読取回路、書込ヘッドを制御する書込回路により磁気券の記録内容の読取と書込みとを行うものである。上記通過検知回路４２は、人間検知センサの検知結果により通路内の利用者の通行状況を検知するものである。上記ドア制御回路４４は、ＣＰＵ２０による利用者の通行の許可不許可の判断に基づいて、上記ドア開閉機構４６によりドア部７の駆動させる。
【００３６】
上記表示制御回路４８は、表示部１６の表示画面を制御する。上記通信部７６は、通信回線により複数の自動改札装置１、…が互いにネットワークで接続される場合に他の自動改札装置１、…とのデータの送受信を行うものである。
【００３７】
また、監視盤インターフェース７２は、係員が複数の自動改札装置１を一括して監視する監視盤７４と接続するものである。この監視盤７４には、各改札口に設置される全ての自動改札装置１、…がそれぞれ接続される。
【００３８】
次に、図３は、無線カード１００の内部構成を示すブロック図である。すなわち、無線カード１００は、ＣＰＵ１０２、ＲＯＭ１０４、ＲＡＭ１０６、受信部１０８、送信部１１０、受電部／電池部１１２を備えている。
【００３９】
上記ＣＰＵ１０２は、無線カード１００の各機器の動作を制御するものある。上記ＲＯＭ１０４は、種々の制御プログラム等が記憶される。上記ＲＡＭ１０６は、自動改札装置１との通信データや判定結果などの利用内容を示すデータ等が記録される。また、ＲＯＭ１０４またはＲＡＭ１０６の何れかに、無線カードごとに付与される固有情報としてのＩＤコードと改札情報とが記録される。例えば、無線カードが定期券とＳＦカードとの両方の機能を具備するものである場合、改札情報は、定期部に定期券の利用情報（利用区間、利用期間、購入日等の購入情報）と、ＳＦ部に金額情報としてＳＦカードの利用情報（購入時の金額、利用した区間、期日の情報、残額情報等の購入／利用情報）とが記録される。
【００４０】
上記受信部１０８は、無線カード１００に対して自動改札装置１から無線データが送信されたとき、そのデータを受信してＣＰＵ１０２、ＲＡＭ１０６等に供給する。また、上記送信部１１０は、ＣＰＵ１０２等で処理したデータを介して自動改札装置１に送信する。上記受電部／電池部１１２は、無線カード１００の各部を動作させる電源として機能し、例えば、自動改札装置１などから送信される電磁波を受信し電力に変換する。
【００４１】
図４の利用される区間の一例を示す図である。
図４に示すように、Ａ駅、Ｂ駅、Ｃ駅、Ｄ駅、Ｅ駅と連続する区間において、利用者がＡ駅〜Ｃ駅まで区間が有効な定期券としての第１の無線カードと、Ｃ駅〜Ｄ駅までの区間が有効な定期部とＳＦ部とからなる複合券としての第２の無線カードとを２枚所持している場合、Ｂ駅からＥ駅までの区間が乗車が可能である。
【００４２】
つまり、利用者は、Ｂ駅からＥ駅までの区間を乗車する場合、Ｂ駅〜Ｃ駅までの区間を定期券（第１の無線カード）で乗車し、Ｃ駅〜Ｄ駅までの区間を複合券（第２の無線カード）の定期部で乗車する。さらに、Ｄ駅〜Ｅ駅までの区間は、複合券（第２の無線カード）のＳＦ部によりＤ駅〜Ｅ駅までの乗車料金を精算することにより乗車する。
【００４３】
次に、自動改札装置１および自動改札システムによる複数枚の無線カードに対する処理を図５に示すフローチャートを参照しつつ説明する。ここでは、１例として、上記のような２枚の無線カードに対する処理について説明する。
【００４４】
すなわち、利用者が２枚の無線カード１００をアンテナ５の近傍の通信圏内に同時に翳すと（ステップ１）、自動改札装置１のＣＰＵ２０は、アンテナ５を介して無線通信制御部２８の制御により２枚の無線カード１００との無線通信を行う。これにより、ＣＰＵ２０は、２枚の無線カード１００からそれぞれ固有情報を読取るとともに、改札情報として、第１の無線カード１００から定期券としての改札情報と、第２の無線カード１００から複合券の定期部としての改札情報、および複合券のＳＦ部として改札情報とを読取る（ステップ２）。
【００４５】
ＣＰＵ２０は、上記読取った固有情報をＲＡＭ２４に記録する（ステップ３）。また、ＣＰＵ２０は、上記各無線カード１００、…から読取った改札情報の組み合せにより入場あるいは出場の許可不許可を判定する（ステップ４）。この判定により入場あるいは出場が許可と判定した際、ＣＰＵ２０は、判定結果として入場済みあるいは出場済み、処理日時、処理後のＳＦ部の残額等を示すデータの無線カード１００への書込処理を実行する（ステップ５）。
【００４６】
この書込処理は、自動改札装置１から送信したデータに対して、各無線カード１００から書込み完了を示す終了データが返信されて完了となる。つまり、ＣＰＵ２０は、組合わせて判定を行った各無線カードを上記ＲＡＭ２４に記録した固有情報により識別し、順次、判定結果を示すデータを無線通信により送信する。
【００４７】
これに対応して、それぞれの無線カード１００は、自動改札装置１から送信されたデータを受信し、そのデータをＲＡＭ１０６などの記録部に記録する。この記録部への記録が完了した際、ＣＰＵ１０２は、書込みが完了したことを示す終了データを自動改札装置１に送信する。自動改札装置１では、無線カード１００からの終了データを受信した際に、その無線カード１００に対する書込処理を完了する。
【００４８】
これにより、ＣＰＵ２０は、各無線カード１００からの書込処理の終了データを受信したか否かによりどの無線カード１００の書込処理が完了したかを判断する。この判断により２枚の無線カード１００に対する書込処理が完了したと判断した際、つまり全ての無線カード１００に対する書込処理が完了したと判断した際（ステップ６）、ＣＰＵ２０は、ドア部７を開放し、利用者の通行を許可する。
【００４９】
また、１枚のみの無線カード１００に対する書込処理だけが完了した際、つまり、判定を行った全ての無線カード１００に対する書込処理が完了していないと判断した際（ステップ６）、他の自動改札装置１へ書込処理が未完了の無線カード１００の固有情報と、それらの判定結果と、組み合せ判定を行った無線カードの固有情報とを送信する（ステップ７）。
【００５０】
この際、ＣＰＵ２０は、利用者に提示された無線カード１００への処理が未完了である旨を案内表示部６による表示、およびスピーカ（図示しない）による音声で案内する（ステップ８）。
【００５１】
この案内に従って、利用者が再度無線カード１００を提示した際（ステップ９）、ＣＰＵ２０は、通信圏内に提示された無線カード１００との無線通信を行う。この結果、ＣＰＵ２０は、２枚の無線カード１００を認識したか否かを判断する（ステップ１０）。この判断により２枚とも認識できた場合、上記ＲＡＭ２４に記録している固有情報と認識した無線カード１００の固有情報とを比較し、書込みが未完了であった無線カード１００のみに判定結果の書込処理を実行する。この書込み未完了であった無線カード１００への書込処理が完了すると、ＣＰＵ２０は、ＲＡＭ２４に記録している固有情報を消去する（ステップ１１）。そして、ＣＰＵ２０は、ドア部７を開放し、利用者の通行を許可する。
【００５２】
また、上記ステップ１０で、２枚の無線カード１００が認識できなかった場合、１枚の無線カード１００を認識したか否かを判断する（ステップ１２）。この判断により無線カード１００が認識できないと判断した場合に、ＣＰＵ２０は、上記ステップ９へ戻り処理を繰り返す。
【００５３】
また、１枚の無線カード１００を認識した場合（ステップ１２）、つまり、組み合せ判定を行った無線カードのうちの一部の無線カード１００を認識した場合、ＣＰＵ２０は、上記ＲＡＭ２４に記録している固有情報と認識した無線カード１００の固有情報とを比較し、認識した無線カード１００が書込処理が未完了であった無線カード１００か否かを判断する（ステップ１３）。
【００５４】
この判断により書込み未完了であった無線カード１００である場合、提示された無線カード１００が書込処理が未完了の無線カードでない旨を案内し（ステップ１４）、上記ステップ８へ戻り、処理を繰り返す。
【００５５】
また、書込み未完了であった無線カード１００である場合、固有情報の記録により判定結果を無線カード１００へ書込処理を実行する（ステップ１５）。そして、ＣＰＵ２０は、ＲＡＭ２４に記録している固有情報の記録を消去する。そして、ＣＰＵ２０は、ドア部７を開放し、利用者の通行を許可して処理を終了する。
【００５６】
上記のように、複数の無線カードの組み合せによる入出場の判定時に、組合せ判定を行った各無線カードの固有情報を記録手段に記録しておき、判定結果の書込みが未完了の無線カードがあった場合に、再度、書込み未完了の無線カードが提示されると、上記記録手段に記録している固有情報により書込み未完了の無線カードに対してのみ書込処理を実行するようにしたものである。
【００５７】
これにより、入出場時に、書込処理が未完了になってしまった無線カードに対しても書込処理が可能となり、入出場が不許可になったり、２重に金額を引去ってしまうことを防止できる。
【００５８】
また、上記例では、書込み未完了であった無線カードを再び同一の自動改札装置の通信圏内に提示した場合の処理について説明したが、第１の自動改札装置の第１の通信圏内に提示された無線カードの書込み未完了となった際に、利用者が他の自動改札装置（第２の自動改札装置）へ移動し、この第２の自動改札装置の第２の通信圏内に提示した場合にも、上記ステップ９〜ステップ１５と同様に第２の自動改札装置で処理する。
【００５９】
この場合、第１の自動改札装置で、上記ステップ１〜ステップ８までの処理を実行する。この際、上記ステップ７で、書込み未完了となった無線カードの固有情報、判定結果、組み合せ判定を行った無線カードの固有情報等が、第１の自動改札装置から送信される。
【００６０】
これに対して、第２の自動改札装置は、この送信された情報をＲＡＭなどの記録手段に記録する。そして、利用者が第１の自動改札装置から第２の自動改札装置に移動して、書込未完了となった無線カードを提示すると、第２の自動改札装置が、無線カードの固有情報を読取り、読取った固有情報が上記記録手段に記録した固有情報と一致する場合に、提示された無線カードへの書込処理を実行する（ステップ９〜ステップ１５）。
【００６１】
上記のように、複数の無線カードの組み合せによる入出場の判定時に、組合せ判定を行った各無線カードの固有情報を記録手段に記録しておき、判定結果の書込みが未完了の無線カードがあった場合に、他の自動改札装置にも、固有情報を送信し、書込み未完了が他の自動改札装置に提示された場合に、送信された固有情報に基いて書込み未完了の無線カードに対してのみ書込処理を実行するようにしたものである。
【００６２】
これにより、入出場時に、書込処理が未完了になってしまった無線カードに対して、他の自動改札装置でも書込処理が可能となり、書込処理が未完了となった利用者が他の自動改札装置に移動した場合にも、入出場が不許可になったり、２重に金額を引去ってしまうことを防止できる。
【００６３】
【発明の効果】
以上詳述したように、この発明によれば、書込処理が未完了の無線式記録媒体があった場合に、書込処理が未完了の無線式記録媒体に対する書込み処理が実行でき、再度、書込み処理を実行する際に、２重処理を行ってしまうことがない無線式記録媒体処理装置と自動改札装置を提供できる。
【００６４】
また、判定結果の書込処理が未完了の無線式記録媒体があった場合に、他の自動改札装置でも、書込処理が未完了の無線式記録媒体に対する書込み処理が実行でき、再度、書込み処理を実行する際に、２重処理を行ってしまうことがない無線式記録媒体処理システムと自動改札システムを提供できる。
【図面の簡単な説明】
【図１】この発明の実施の形態に係る自動改札装置の概略構成を示す図。
【図２】自動改札装置の制御系統を示すブロック図。
【図３】無線カードの内部構成を示すブロック図。
【図４】複数枚の無線カードの利用例を説明するための図。
【図５】２枚の無線カードに対する処理を説明するためのフローチャート。
【符号の説明】
１…自動改札装置（第１、第２の自動改札装置、第１、第２の無線式記録媒体処理装置）
５…アンテナ
６…案内表示部（案内手段）
２０…ＣＰＵ（判定手段、判断手段、実行手段、処理手段）
２４…ＲＡＭ（記録手段）
２８…無線通信制御部（読取手段）
７４…監視盤
７６…通信部（送信手段）
１００…無線カード
１０２…ＣＰＵ
１０６…ＲＡＭ
１０８…受信部
１１０…送信部
【図１】
0004266058.tif 000002
【図２】
0004266058.tif 000003
【図３】
0004266058.tif 000004
【図４】
0004266058.tif 000005
【図５】
0004266058.tif 000006